【手続補正書】
【提出日】平成22年6月17日(2010.6.17)
【手続補正１】
【補正対象書類名】特許請求の範囲
【補正対象項目名】全文
【補正方法】変更
【補正の内容】
【特許請求の範囲】
【請求項１】
弾性チューブが内壁面に沿って円弧状に配置されたハウジングと、
このハウジングに対して回転可能に保持された回転部材と、
この回転部材に回転可能に支持されるとともに、前記回転部材に設けられたガイド溝に沿って前記弾性チューブを押圧する押圧位置と押圧を解除する解除位置との間で移動可能に案内される押圧部材と、
前記回転部材と同軸で回転可能であり、前記回転部材が前記押圧部材による押圧が行われている方向の回転から逆方向の回転に切り替わったときに前記押圧部材の前記回転部材に対する連れ回りを規制する押圧部材解除補助部材と、を備え、
前記押圧部材解除補助部材は、前記ハウジングの内壁面に摩擦抵抗を受けながら摺動自在に接する部分を有している
ことを特徴とするチューブポンプ。
【請求項２】
前記押圧部材解除補助部材は、前記回転部材が前記押圧部材による押圧が行われている方向の回転から逆方向の回転に切り替わったときに、前記押圧部材の支軸が当接する係合部を有していることを特徴とする請求項１に記載のチューブポンプ。
【請求項３】
前記押圧解除補助部材は、前記回転部材との間で、所定範囲で相対回転可能であることを特徴とする請求項１又は２に記載のチューブポンプ。
【請求項４】
前記押圧解除補助部材は、前記押圧部材が解除位置側に移動するときに前記回転部材の回転方向とは逆方向の周方向移動を規制する部分を有していることを特徴とする請求項１ないし３のいずれかに記載のチューブポンプ。
【請求項５】
液滴を吐出する記録ヘッドと、この記録ヘッドを維持回復する維持回復機構とを備える画像形成装置において、前記維持回復機構には請求項１ないし４のいずれかに記載のチューブポンプを備えていることを特徴とする画像形成装置。
【手続補正２】
【補正対象書類名】明細書
【補正対象項目名】００１３
【補正方法】変更
【補正の内容】
【００１３】
上記の課題を解決するため、本発明に係るチューブポンプは、
弾性チューブが内壁面に沿って円弧状に配置されたハウジングと、
このハウジングに対して回転可能に保持された回転部材と、
この回転部材に回転可能に支持されるとともに、前記回転部材に設けられたガイド溝に沿って前記弾性チューブを押圧する押圧位置と押圧を解除する解除位置との間で移動可能に案内される押圧部材と、
前記回転部材と同軸で回転可能であり、前記回転部材が前記押圧部材による押圧が行われている方向の回転から逆方向の回転に切り替わったときに前記押圧部材の前記回転部材に対する連れ回りを規制する押圧部材解除補助部材と、を備え、
前記押圧部材解除補助部材は、前記ハウジングの内壁面に摩擦抵抗を受けながら摺動自在に接する部分を有している
構成とした。
【手続補正３】
【補正対象書類名】明細書
【補正対象項目名】００１４
【補正方法】変更
【補正の内容】
【００１４】
ここで、前記押圧部材解除補助部材は、前記回転部材が前記押圧部材による押圧が行われている方向の回転から逆方向の回転に切り替わったときに、前記押圧部材の支軸が当接する係合部を有している構成とできる。また、前記押圧解除補助部材は、前記回転部材との間で、所定範囲で相対回転可能である構成とできる。また、前記押圧解除補助部材は、前記押圧部材が解除位置側に移動するときに前記回転部材の回転方向とは逆方向の周方向移動を規制する部分を有している構成とできる。
【手続補正４】
【補正対象書類名】明細書
【補正対象項目名】００１６
【補正方法】変更
【補正の内容】
【００１６】
本発明に係るチューブポンプによれば、回転部材と同軸で回転可能であり、回転部材が押圧部材による押圧が行われている方向の回転から逆方向の回転に切り替わると押圧部材の回転部材に対する連れ回りを規制する押圧部材解除補助部材を備え、押圧部材解除補助部材は、前記ハウジングの内壁面に摩擦抵抗を受けながら摺動自在に接する部分を有している構成したので、回転部材の回転方向が切り替わった時に押圧部材が逆方向に回転することが防止され、簡単な構成でインクの逆流を防止できる。
【手続補正５】
【補正対象書類名】明細書
【補正対象項目名】００３６
【補正方法】変更
【補正の内容】
【００３６】
また、解除補助プレート１１０は、外周部にはポンプハウジング１０２の内壁面１０２ａに摩擦抵抗を受けながら摺動自在に接する部分（アーム部という。）１１２を有している。このアーム部１１２は外周方向に拡開状態で摺接面１１２ａがハウジング１０２の内壁面１０２ａに接することで、ポンプハウジング１０２の内壁面１０２ａに対して回転可能であるが、支持板１０４の回転方向が切り替わっても瞬時に回転方向が切り替わらない。
【手続補正６】
【補正対象書類名】明細書
【補正対象項目名】００３８
【補正方法】変更
【補正の内容】
【００３８】
さらにまた、解除補助プレート１１０には周方向に長孔１１４を形成し、支持板１０４に設けたピン１０８と係合させ、解除補助プレート１１１の支持板１０４に対する相対回転範囲を抑止している。この解除補助プレート１１１の回転を抑止する手段がないと、支持板１０４が吸引方向に回転するときに、解除補助プレート１１０の規制面１１１がコロ１０６の支軸１０５と接触して、コロ１０６の回転が妨げられる。コロ１０６が回転しないと、吸引時にコロ１０６がチューブ１０１を押し潰すときにコロ１０６とチューブ１０１との間で摩擦が生じチューブ１０１が破損してしまうおそれがある。そこで、支持板１０４が吸引方向に回転するときに、解除補助プレート１１０の規制面１１１がコロ１０６の支軸１０５に当接しないようにしている。
【手続補正７】
【補正対象書類名】明細書
【補正対象項目名】００３９
【補正方法】変更
【補正の内容】
【００３９】
このように構成したので、図１２に示すように、支持板１０４が吸引方向（実線矢印方向：正転）から非吸引方向（破線矢印方向：逆転）に回転方向が切り替わった時、解除補助プレート１１０のアーム部１１２の摺接面１１２ａがハウジング１０２の内壁面１０２ａに摩擦抵抗を受けた状態で接しているため、解除補助プレート１１０は、支持板１０４（ポンプ軸１０３）が逆方向に回転しても同時に逆方向に回転しない。
【手続補正８】
【補正対象書類名】明細書
【補正対象項目名】００４０
【補正方法】変更
【補正の内容】
【００４０】
つまり、図１３に示すように、ガイド溝１０７は支持板１０４の回転により矢示Ａ方向に移動するが、解除補助プレート１１０は停止しているので、コロ１０６の支軸１０５は規制面１１１に当接することになり、押圧位置から解除されて瞬時に矢示Ｂ方向に移動してチューブ１０１から離間する。これにより、インクの逆流が防止される。
【手続補正９】
【補正対象書類名】明細書
【補正対象項目名】００４２
【補正方法】変更
【補正の内容】
【００４２】
次に、本発明の第２実施形態に係るチューブポンプについて図１４及び図１５を参照して説明する。なお、図１４は同チューブポンプの正面説明図、図１５は同じく押圧部材解除補助部材の正面説明図である。
前記第１実施形態の解除補助プレート１１０の規制面１１１が支持板１０４の径方向に沿う係合部１１１ａを設けていたのに対し、この第２実施形態では解除補助プレート１１０の規制面１１１が周方向で内側に向かって斜めとなる係合部１１１ａを設けている。
【手続補正１０】
【補正対象書類名】明細書
【補正対象項目名】００４３
【補正方法】変更
【補正の内容】
【００４３】
これにより、コロ１０６の支軸１０５が、支持板１０４を吸引方向から非吸引方向に回転方向を切り替えたときに、コロ１０６の支軸１０５が規制面１１１の当接したときに規制面１１１で内周方向に押されることにより、規制面１１１との当接による異音などを発生することなく、スムーズに瞬時にチューブ１０１から離間することになる。
【手続補正１１】
【補正対象書類名】明細書
【補正対象項目名】００４５
【補正方法】変更
【補正の内容】
【００４５】
次に、本発明の第４実施形態に係るチューブポンプについて図１７を参照して説明する。なお、図１７は同チューブポンプの分解斜視説明図である。
この実施形態では、解除補助プレート１１０に設けた係合爪１３０を支持板１０４に設けた係合穴１３１に着脱自在に係合させ、解除補助プレート１１０をポンプ軸１０３から着脱可能としている。これによって、解除補助プレート１１０のリサイクルが容易になる。